(57)【特許請求の範囲】
【請求項１】
送電線の保護区間の両端に配置され、前記保護区間の各端の電流値を互いに伝送し合う電流差動保護継電装置であって、
前記保護区間の各端に配置された電流変換器からの計測電流値が入力され、前記計測電流値をディジタルデータに変換するＡＤ変換部と、
前記ＡＤ変換部から入力された自端の入力電流値および他端から伝送された他端の前記入力電流値に基づき、自端の前記入力電流値に含まれる誤差を補正する補正値を演算する演算処理部と、
前記入力電流値毎の前記補正値が書き込まれる補正テーブルと、
を備える
ことを特徴とする電流差動保護継電装置。
【請求項２】
前記演算処理部は、前記送電線に接続する複数の母線毎に、前記補正値を演算することを特徴とする請求項１に記載の電流差動保護継電装置。
【請求項３】
前記演算処理部は、前記送電線を流れる電流の周波数の基本波成分および高調波成分毎に、複数の前記補正値を演算することを特徴とする請求項１または２に記載の電流差動保護継電装置。
【請求項４】
前記演算処理部は、前記入力電流値を前記補正値に基づいて補正した補正後電流値および他端から伝送された前記補正後電流値に基づいて、保護演算処理を行うことを特徴とする請求項１〜３のいずれか一項に記載の電流差動保護継電装置。
【発明の詳細な説明】
【技術分野】
【０００１】
本発明は、電力系統、特に送電線を保護する電流差動保護継電装置に関するものである。
【背景技術】
【０００２】
一般に、送電線系統では、送電線の保護区間の両端に電流差動継電装置を配置し、この電流差動継電装置間において、検出した電流値を互いに伝送しあい、その二つの電流のベクトル和から保護区間内の事故であるか、保護区間外の事故であるかを判別している。
【０００３】
このような電流差動保護継電装置において、各電流差動継電装置に入力される各電気所に設置された電流変換器の２次電流をそれぞれＩＡおよびＩＢとし、各々自端側から他端側に向かって流れる電流の方向を正としてベクトル和を求めると、送電線に異常がなければ、ＩＡ≒−ＩＢであるので、ＩＡ＋ＩＢ≒０となる。また、保護区間外の事故時には、同様に、ＩＡ≒−ＩＢであるので、ＩＡ＋ＩＢ≒０となる。一方、保護区間内の事故時には、ＩＡ＋ＩＢ＞０となる。したがって、所定の整定値であるリレー感度Ｉｋを保持しておき、ＩＡ＋ＩＢ＞Ｉｋの場合に故障と判別している。
【０００４】
ただし、ＩＡ、ＩＢには電流変換器固有の誤差や充電電流などの系統固有の誤差、保護継電装置が持つ誤差などが含まれ、ＩＡ＝ＩＡｔｒｕｅ＋ＩＡｅｒｒ（ここで、ＩＡｔｒｕｅ：真値、ＩＡｅｒｒ：誤差），ＩＢ＝ＩＢｔｒｕｅ＋ＩＢｅｒｒ（ここで、ＩＢｔｒｕｅ：真値、ＩＢｅｒｒ：誤差）となるため、ＩＡｅｒｒ，ＩＢｅｒｒが大きい場合には、送電線に異常がない場合であっても、あるいは保護区間外の事故が発生している場合であっても、ＩＡ＋ＩＢ＞Ｉｋとなり、誤動作する虞がある。このような誤動作を解決する技術として、下記特許文献１などが存在する。
【０００５】
特許文献１に示された技術では、電流変換器の飽和特性に着目し、電流変換器の２次電流に対する１次電流の値をテーブル化し、この電流変換器の飽和特性を補正する技術が開示されている。
【先行技術文献】
【特許文献】
【０００６】
【特許文献１】特開昭６０−２３７８１４号公報
【発明の概要】
【発明が解決しようとする課題】
【０００７】
しかしながら、特許文献１に示された技術では、電流変換器固有の誤差や、送電線の充電電流などの系統固有の誤差、および保護継電装置が持つ誤差などを補正することができない、という問題があった。
【０００８】
本発明は、上記に鑑みてなされたものであって、電流変換器固有の誤差、送電線の充電電流などの系統固有の誤差、および電流差動保護継電装置が持つ誤差を補正することを可能とする電流差動保護継電装置を得ることを目的とする。
【課題を解決するための手段】
【０００９】
上述した課題を解決し、目的を達成するために、本発明は、送電線の保護区間の両端に配置され、前記保護区間の各端の電流値を互いに伝送し合う電流差動保護継電装置であって、前記保護区間の各端に配置された電流変換器からの計測電流値が入力され、前記計測電流値をディジタルデータに変換するＡＤ変換部と、前記ＡＤ変換部から入力された自端の入力電流値および他端から伝送された他端の前記入力電流値に基づき、自端の前記入力電流値に含まれる誤差を補正する補正値を演算する演算処理部と、前記入力電流値毎の前記補正値が書き込まれる補正テーブルと、を備えることを特徴とする。
【発明の効果】
【００１０】
この発明によれば、電流変換器固有の誤差、送電線の充電電流などの系統固有の誤差、および電流差動保護継電装置が持つ誤差を補正することが可能となる、という効果を奏する。
【図面の簡単な説明】
【００１１】
【図１】図１は、実施の形態１にかかる電流差動保護継電装置が配置された電力系統の一構成例を示す図である。
【図２】図２は、実施の形態１にかかる補正テーブルの一例を示す図である。
【図３】図３は、補正テーブルの作成手順について説明するための図である。
【図４】図４は、補正テーブルの作成手順について説明するための図である。
【図５】図５は、実施の形態２にかかる補正テーブルの一例を示す図である。
【発明を実施するための形態】
【００１２】
以下に、添付図面を参照して、本発明の実施の形態にかかる電流差動保護継電装置を詳細に説明する。なお、この実施の形態により本発明が限定されるものではない。
【００１３】
実施の形態１．
図１は、実施の形態１にかかる電流差動保護継電装置が配置された電力系統の一構成例を示す図である。図１において、送電線ＴＬは、遮断器２Ａを介して断路器６Ａ１，６Ａ２に接続され、断路器６Ａ１を介して電気所Ａの母線１Ａ１に接続され、断路器６Ａ２を介して電気所Ａの母線１Ａ２に接続されている。また、送電線ＴＬは、遮断器２Ｂを介して電気所Ｂの母線１Ｂに接続されている。
【００１４】
遮断器２Ａは、送電線ＴＬにおいて事故が発生した場合に、送電線ＴＬを母線１Ａ１あるいは母線１Ａ２から切り離す。また、同様に、遮断器２Ｂは、送電線ＴＬにおいて事故が発生した場合に、送電線ＴＬを母線１Ｂから切り離す。
【００１５】
断路器６Ａ１は、送電線ＴＬを母線１Ａ１に接続する場合に閉路する。また、同様に、断路器６Ａ２は、送電線ＴＬを母線１Ａ２に接続する場合に閉路する。
【００１６】
電流変換器３Ａは、断路器６Ａ１，６Ａ２と遮断器２Ａとの間に設けられ、送電線ＴＬに流れる１次側電流を変換した２次側電流を計測電流値として電流変換器３Ａの２次側線路４Ａを介して電流差動保護継電装置５Ａに出力する。また、同様に、電流変換器３Ｂは、母線１Ｂと遮断器２Ｂとの間に設けられ、送電線ＴＬに流れる１次側電流を変換した２次側電流を計測電流値として電流変換器３Ｂの２次側線路４Ｂを介して電流差動保護継電装置５Ｂに出力する。なお、以下の説明では、電気所Ａ側をＡ端、電気所Ｂ側をＢ端として説明する。
【００１７】
実施の形態１にかかる電流差動保護継電装置５Ａ，５Ｂの構成および動作について説明する。なお、各電流差動保護継電装置５Ａ，５Ｂの構成は同一であるので、ここでは、Ａ端の電流差動保護継電装置５Ａについて説明する。
【００１８】
実施の形態１にかかる電流差動保護継電装置５Ａは、ＡＤ変換部５Ａ１、保護演算処理を行う演算処理部５Ａ２、電流値の送受信を行う伝送部５Ａ３、電流値毎の補正値が書き込まれた補正テーブル５Ａ４、および遮断器２Ａのトリップ信号を出力する出力部５Ａ５を備えている。
【００１９】
実施の形態１にかかる電流差動保護継電装置５Ａは、送電線ＴＬに事故が発生していない正常な場合において、演算処理部５Ａ２および電流差動保護継電装置５Ｂの演算処理部への入力電流値を用いて補正テーブルを作成する。そして、電流差動保護継電装置５Ａは、通常運用時において、その補正テーブルに書き込まれた補正値で入力電流値を補正し、補正後の電流値に基づいて送電線ＴＬの保護・制御を行う。
【００２０】
つぎに、補正テーブル５Ａ４に書き込まれる補正値の導出について説明する。図１に示すように、送電線ＴＬに１次側電流Ｉが流れている場合に、Ａ端の電流変換器３Ａの２次側電流をＩＡ、Ｂ端の電流変換器３Ｂの２次側電流をＩＢとする。２次側電流ＩＡは、電流差動保護継電装置５Ａに、２次側電流ＩＢは、電流差動保護継電装置５Ｂに、それぞれ入力される。
【００２１】
２次側電流ＩＡは、電流変換器３Ａ固有の誤差、および送電線ＴＬの充電電流などの系統固有の誤差を含んでいる。同様に、２次側電流ＩＢは、電流変換器３Ｂ固有の誤差、および送電線ＴＬの充電電流などの系統固有の誤差を含んでいる。なお、系統固有の誤差は、図１に示す断路器６Ａ１，６Ａ２の状態、すなわち、断路器６Ａ１が閉路、断路器６Ａ２が開路し送電線ＴＬが母線１Ａ１に接続されているか、あるいは断路器６Ａ１が開路、断路器６Ａ２が閉路し送電線ＴＬが母線１Ａ２に接続されているかによって変化する。
【００２２】
ＡＤ変換部５Ａ１は、電流変換器３Ａから入力された２次側電流ＩＡをディジタルデータに変換し、入力電流値ＩＡ’とする。この入力電流値ＩＡ’は、さらに電流差動保護継電装置５Ａ固有の誤差を含む値となる。同様に、電流差動保護継電装置５ＢのＡＤ変換部は、電流変換器３Ｂから入力された２次側電流ＩＢをディジタルデータに変換し、入力電流値ＩＢ’として出力する。この入力電流値ＩＢ’は、さらに電流差動保護継電装置５Ｂ固有の誤差を含む値となる。以下、電流変換器３Ａ，３Ｂ固有の誤差、送電線ＴＬの充電電流などの系統固有の誤差、および電流差動保護継電装置５Ａ，５Ｂ固有の誤差を、特段に区別する必要がない場合は、これらの誤差を単に「誤差」という。
【００２３】
入力電流値ＩＡ’は、演算処理部５Ａ２に出力され、入力電流値ＩＢ’は、電流差動保護継電装置５Ｂの演算処理部に出力される。
【００２４】
伝送部５Ａ３は、入力電流値ＩＡ’を電流差動保護継電装置５Ｂの伝送部に送信するとともに、電流差動保護継電装置５Ｂの伝送部からＢ端の入力電流値ＩＢ’を受信する。
【００２５】
演算処理部５Ａ２は、入力電流値ＩＡ’および伝送部５Ａ３が受信したＢ端の入力電流値ＩＢ’を用いて、入力電流値ＩＡ’を補正するための補正値を演算する。
【００２６】
ここで、入力電流値ＩＡ’，ＩＢ’は、上述した誤差を含んでいるので、これらの誤差分をそれぞれＩＡｅｒｒ，ＩＢｅｒｒとし、誤差分を含まない真値をそれぞれＩＡｔｒｕｅ，ＩＢｔｒｕｅとすると、ＩＡ’＝ＩＡｔｒｕｅ＋ＩＡｅｒｒ、ＩＢ’＝ＩＢｔｒｕｅ＋ＩＢｅｒｒと表すことができる。
【００２７】
電流差動保護継電装置５Ａおよび電流差動保護継電装置５Ｂそれぞれの端部において、自端側から他端側に向かって流れる電流の方向を正とすると、送電線ＴＬが事故を発生していない正常な場合は、誤差分を含まない真値ＩＡｔｒｕｅ，ＩＢｔｒｕｅの関係は、ＩＡｔｒｕｅ＝−ＩＢｔｒｕｅである。さらに入力電流値ＩＡ’，ＩＢ’が上述した誤差を含まない場合には、ＩＡ’＝ＩＡｔｒｕｅ，ＩＢ’＝ＩＢｔｒｕｅであるので、入力電流値ＩＡ’，ＩＢ’の関係は、ＩＡ’＝−ＩＢ’となり、入力電流値ＩＡ’，ＩＢ’のベクトル和は０となる。
【００２８】
しかし、入力電流値ＩＡ’，ＩＢ’は、それぞれ上述した誤差分ＩＡｅｒｒ，ＩＢｅｒｒを含んでいるので、入力電流値ＩＡ’，ＩＢ’のベクトル和は、ＩＡｅｒｒ＋ＩＢｅｒｒとなる。演算処理部５Ａ２は、このベクトル和をＡ端側の誤差値ＩｅｒｒＡとし、ＩｅｒｒＡ／２を入力電流値ＩＡ’に対応する補正値ＩｒｅｖＡとする。
【００２９】
一方、電流差動保護継電装置５Ｂの演算処理部は、同様に入力電流値ＩＡ’，ＩＢ’のベクトル和であるＩＡｅｒｒ＋ＩＢｅｒｒを演算し、このベクトル和をＢ端側の誤差値ＩｅｒｒＢとし、ＩｅｒｒＢ／２を入力電流値ＩＢ’に対応する補正値ＩｒｅｖＢとする。
【００３０】
ここで、上述した補正値ＩｒｅｖＡ，ＩｒｅｖＢを適用した場合の処理について説明する。
【００３１】
演算処理部５Ａ２は、入力電流値ＩＡ’から補正値ＩｒｅｖＡを減算して補正後の電流値ＩＡ”を演算する。この演算を入力電流値ＩＡ’に含まれる真値ＩＡｔｒｕｅおよび誤差分ＩＡｅｒｒと、入力電流値ＩＢ’に含まれる誤差分ＩＢｅｒｒとに分解すると、以下の（１）式となる。
ＩＡ”＝ＩＡ’−ＩｒｅｖＡ
＝（ＩＡｔｒｕｅ＋ＩＡｅｒｒ）−ＩｅｒｒＡ／２
＝（ＩＡｔｒｕｅ＋ＩＡｅｒｒ）−（ＩＡｅｒｒ＋ＩＢｅｒｒ）／２
＝ＩＡｔｒｕｅ＋ＩＡｅｒｒ／２−ＩＢｅｒｒ／２・・・（１）
【００３２】
一方、電流差動保護継電装置５Ｂの演算処理部は、入力電流値ＩＢ’から補正値ＩｒｅｖＢを減算して補正後の電流値ＩＢ”を演算する。この演算を入力電流値ＩＢ’に含まれる真値ＩＢｔｒｕｅおよび誤差分ＩＢｅｒｒと、入力電流値ＩＡ’に含まれる誤差分ＩＡｅｒｒとに分解すると、以下の（２）式となる。
ＩＢ”＝ＩＢ’−ＩｒｅｖＢ
＝（ＩＢｔｒｕｅ＋ＩＢｅｒｒ）−ＩｅｒｒＢ／２
＝（ＩＢｔｒｕｅ＋ＩＢｅｒｒ）−（ＩＡｅｒｒ＋ＩＢｅｒｒ）／２
＝ＩＢｔｒｕｅ−ＩＡｅｒｒ／２＋ＩＢｅｒｒ／２・・・（２）
【００３３】
（１）式および（２）式の右辺および左辺をそれぞれ加算することにより、ＩＡ”＋ＩＢ”＝ＩＡｔｒｕｅ＋ＩＢｔｒｕｅが得られる。つまり、演算処理部５Ａ２は、補正後の電流値ＩＡ”と補正後の電流値ＩＢ”とを加算した値により保護演算処理を行うことにより、入力電流値ＩＡ’に含まれる誤差分ＩＡｅｒｒおよび入力電流値ＩＢ’に含まれる誤差分ＩＢｅｒｒの影響を軽減することができる。
【００３４】
つぎに、実施の形態１にかかる電流差動保護継電装置の補正テーブルについて説明する。図２は、実施の形態１にかかる補正テーブルの一例を示す図である。以下、電流差動保護継電装置５Ａおよび電流差動保護継電装置５Ｂにおける補正テーブルは同様であるので、ここではＡ端側の補正テーブル５Ａ４について説明する。図２（ｂ）において、横軸は入力電流値ＩＡ’を示し、縦軸は補正値ＩｒｅｖＡを示している。補正テーブル５Ａ４は、図２（ａ）に示すように、入力電流値ＩＡ’毎に補正値ＩｒｅｖＡが書き込まれテーブル化されている。
【００３５】
つぎに、補正テーブルの作成手順について、図１、図３、および図４を参照して説明する。図３および図４は、補正テーブルの作成手順について説明するための図である。
【００３６】
図１に示すように、Ａ端において送電線ＴＬに接続可能な母線が２系統である場合には、送電線が接続される母線毎に、補正テーブル５Ａ４を作成する。ここでは、まず、断路器６Ａ１が閉路、断路器６Ａ２が開路し、送電線ＴＬが母線１Ａ１に接続された場合における補正テーブル５Ａ４ａを作成する（図３（ａ）参照）。
【００３７】
演算処理部５Ａ２は、まず、ＩＡ’＝αのときの誤差値ＩｅｒｒＡを求め、この誤差値ＩｅｒｒＡの半値を入力電流値αに対応する補正値ＩｒｅｖＡとし、この補正値ＩｒｅｖＡの値ＸＸＸを、補正テーブル５Ａ４ａの入力電流値αに対応する補正値として入力する（図３（ａ）参照）。
【００３８】
つぎに、演算処理部５Ａ２は、同様に、送電線ＴＬに流れる１次側電流Ｉの値が異なる場合、例えば、送電線ＴＬへの負荷が高負荷である状態でのＩＡ’＝βのときの誤差値ＩｅｒｒＡを求め、この誤差値ＩｅｒｒＡの半値を入力電流値βに対応する補正値ＩｒｅｖＡとし、この補正値ＩｒｅｖＡの値ＹＹＹを、補正テーブル５Ａ４ａの入力電流値βに対応する補正値として入力する（図３（ａ）参照）。
【００３９】
送電線ＴＬへの負荷がさらに高負荷であり、実際の電力系統では実現が困難な場合（ＩＡ’＝γ）、入力電流値γに対応する補正値ＩｒｅｖＡの値ＺＺＺを、図示しない外部機器（例えば、パーソナルコンピュータなど）から補正テーブル５Ａ４ａの入力電流値γに対応する補正値として入力する（図３（ａ）参照）。この場合の補正値ＺＺＺは、理論値や図示しない別の電力系統での実績値あるいは近似値であってもよい。
【００４０】
演算処理部５Ａ２は、入力電流値αにおける補正値ＸＸＸ、入力電流値βにおける補正値ＹＹＹ、および入力電流値γにおける補正値ＺＺＺを、例えば直線近似することにより（図４（ｃ）参照）、入力電流値αと入力電流値βとの間、および入力電流値βと入力電流値γとの間の各入力電流値における補正値を演算し、図４（ａ）に示す補正テーブル５Ａ４ａを生成する。
【００４１】
続いて、演算処理部５Ａ２は、同様の手順で、断路器６Ａ１が開路、断路器６Ａ２が閉路し、送電線ＴＬが母線１Ａ２に接続された場合の補正テーブル５Ａ４ｂを作成する（図４（ｂ）参照）。このように、送電線ＴＬが母線１Ａ１接続される場合の補正テーブル５Ａ４ａと、送電線ＴＬが母線１Ａ２接続される場合の補正テーブル５Ａ４ｂとを保持することにより、通常運用時において、送電線ＴＬがいずれの母線に接続されているかによって各補正テーブル５Ａ４ａ，５Ａ４ｂを切り替えて運用する。なお、各補正テーブル５Ａ４ａ，５Ａ４ｂは、例えば遮断器２Ａの開閉タイミングで、自動で切り替わるように構成することも可能であるし、また、例えば試験運用時などの際に、操作者が手動で切り替えることも可能である。
【００４２】
つぎに、通常運用時における動作について、図１および図４を参照して説明する。演算処理部５Ａ２は、通常運用時において、入力電流値ＩＡ’に応じて補正値ＩｒｅｖＡを補正テーブル５Ａ４ａから読み出し（図４（ａ）参照）、入力電流値ＩＡ’からこのときの補正値ＩｒｅｖＡを減算することにより、補正後の電流値ＩＡ”を演算する。同様に、電流差動保護継電装置５Ｂの演算処理部は、補正後の電流値ＩＢ”を演算する。
【００４３】
伝送部５Ａ３は、補正後の電流値ＩＡ”を電流差動保護継電装置５Ｂの伝送部に送信するとともに、電流差動保護継電装置５Ｂの伝送部からＢ端の補正後の電流値ＩＢ”を受信する。
【００４４】
演算処理部５Ａ２は、補正後の電流値ＩＡ”とＢ端の補正後の電流値ＩＢ”を加算し、保護演算処理を行う。ＩＡ”＋ＩＢ”の値が所定の整定値であるリレー感度Ｉｋ以上となった場合に、演算処理部５Ａ２は、出力部５Ａ５に遮断器２Ａのトリップ信号の出力を指示する。そして、出力部５Ａ５は、演算処理部５Ａ２からの指示に基づき、遮断器２Ａのトリップ信号を出力する。
【００４５】
以上のように、本発明の実施の形態１にかかる電流差動保護継電装置によれば、送電線に事故が発生していない正常な場合において、自端の演算処理部への入力電流値および他端から伝送された他端の演算処理部への入力電流値に基づいて、自端の入力電流値を補正する補正値を演算して補正テーブルを作成し、通常運用時において、補正テーブルに書き込まれた補正値に基づいて自端の入力電流値を補正するようにしたので、電流変換器固有の誤差、送電線の充電電流などの系統固有の誤差、および電流差動保護継電装置固有の誤差を軽減することができる。
【００４６】
また、送電線の保護区間の各端において、送電線に接続する母線を切り替え可能である場合に、送電線の両端に接続される母線の組み合わせ毎に補正テーブルを作成し、通常運用時において、送電線の両端に接続される母線の組み合わせに応じて補正テーブルを切り替えるようにしたので、常に適切な補正テーブルを用いて運用することができる。
【００４７】
また、電流変換器固有の誤差、送電線の充電電流などの系統固有の誤差、および電流差動保護継電装置固有の誤差を軽減することにより、リレー感度をより高感度にすることができるので、保護演算精度が向上し、高感度な事故検出が可能となる。
【００４８】
実施の形態２． 
実施の形態１では、送電線に流れる１次側電流の周波数の基本波成分に対応した補正テーブルにより演算処理部への入力電流値を補正するように構成したが、電流変換器が飽和した場合には、演算処理部への入力電流の波形が歪み、高調波成分を含む入力電流となる。したがって、実施の形態２では、送電線に流れる１次側電流の周波数の基本波成分に加え、複数の高調波成分に対応した複数の補正値により、演算処理部への入力電流値を補正する構成とする。
【００４９】
図５は、実施の形態２にかかる補正テーブルの一例を示す図である。実施の形態２にかかる補正テーブル５Ａ４１は、演算処理部５Ａ２への入力電流値ＩＡ’毎に、送電線ＴＬに流れる１次側電流Ｉの周波数の基本波成分に対応する補正値ＩｒｅｖＡａ、２次高調波成分に対応する補正値ＩｒｅｖＡｂ、３次高調波成分に対応する補正値ＩｒｅｖＡｃ、あるいはそれ以上の高調波成分毎に対応する補正値ＩｒｅｖＡｎが書き込まれている。
【００５０】
つぎに、実施の形態２にかかる電流差動保護継電装置の動作について、図５を参照して説明する。なお、補正テーブル５Ａ４１に書き込まれる補正値の導出方法については、実施の形態１と同一であるので省略する。
【００５１】
まず、演算処理部５Ａ２は、送電線ＴＬが事故を発生していない正常な場合において、通常運用時あるいは試験運用時の入力電流値ＩＡ’，ＩＢ’を基本波成分および複数の高調波成分に分離し、各周波数成分毎に各補正値ＩｒｅｖＡａ〜ＩｒｅｖＡｎを演算して補正テーブル５Ａ４１を生成する。
【００５２】
つぎに、演算処理部５Ａ２は、通常運用時において、入力電流値ＩＡ’に応じて各補正値ＩｒｅｖＡａ〜ＩｒｅｖＡｎを補正テーブル５Ａ４１から読み出し、入力電流値ＩＡ’からこのときの各補正値ＩｒｅｖＡａ〜ＩｒｅｖＡｎを減算することにより、補正後の電流値ＩＡ”を演算する。同様に、電流差動保護継電装置５Ｂの演算処理部は、補正後の電流値ＩＢ”を演算する。以降の保護制御動作については、実施の形態１と同様であるので省略する。
【００５３】
以上のように、本発明の実施の形態２にかかる電流差動保護継電装置によれば、送電線を流れる１次側電流の周波数の基本波成分および高調波成分毎に複数の補正値を演算して補正テーブルを生成し、通常運用時において、複数の補正値に基づいて自端の入力電流値を補正するようにしたので、実施の形態１による効果に加え、電流変換器が飽和した場合に含まれる高調波電流による誤差をも補正することができる。
【００５４】
なお、実施の形態では、各端の入力電流値に対する誤差を加算した値の１／２値を、その入力電流値に対応する補正値としたが、補正値の導出方法はこれに限らず、例えば演算した誤差の入力電流値に対する比率を演算して補正値を求める構成としてもよい。
【００５５】
また、実施の形態では、電流差動保護継電装置の場合を例に説明したが、その他の距離継電装置、過電流継電装置などにも利用できる。また、実施の形態では、２端子の場合の構成例を示したが、３端子以上の場合にも適用が可能である。
【００５６】
また、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【産業上の利用可能性】
【００５７】
以上のように、本発明にかかる電流差動保護継電装置は、電流変換器固有の誤差、送電線の充電電流などの系統固有の誤差、および電流差動保護継電装置が持つ誤差を軽減することができる発明として有用である。
【符号の説明】
【００５８】
ＴＬ 送電線
Ａ，Ｂ  電気所
１Ａ１，１Ａ２，１Ｂ  母線
２Ａ，２Ｂ  遮断器
３Ａ，３Ｂ  電流変換器
４Ａ，４Ｂ  電流変換器の２次側線路
５Ａ，５Ｂ  電流差動保護継電装置
５Ａ１  ＡＤ変換部
５Ａ２  演算処理部
５Ａ３  伝送部
５Ａ４，５Ａ４ａ，５Ａ４ｂ，５Ａ４１  補正テーブル
５Ａ５  出力部
６Ａ１，６Ａ２  断路器
【図１】
0005383519.tif 000002
【図２】
0005383519.tif 000003
【図３】
0005383519.tif 000004
【図４】
0005383519.tif 000005
【図５】
0005383519.tif 000006